(57)【要約】【課題】補助光源を有する照明器具において、寿命到来時にこの補助光源を通常時と異なる点灯状態とすることで、寿命を告知するための光源を設ける必要がなく安価に、且つ、主光源の照度を確保して照明対象への不具合がなく、確実に使用者に寿命を告知させることができるようにする。【解決手段】照明器具は照明器具本体１に、光源２と、常夜灯として用いられる補助光源３ａを保持したもので、点灯回路４と、照明器具の寿命を判定する寿命判定部５と、補助光源３ａの点灯状態を制御する補助光源制御部６とが照明器具本体１の内部に収納されている。補助光源制御部６は、補助光源３ａとともに寿命告知部７を構成しており、この寿命判定部５が寿命判定を行うと、補助光源制御部６は補助光源３ａの点灯状態が通常時とは異なる点滅状態となるように制御し、補助光源３ａがこの制御により点滅状態となることで、光源２が点灯状態でも寿命告知が行われる。【選択図】図１
2006236673.tif 000002
【特許請求の範囲】
【請求項１】
光源と、この光源とは別に設けられて光源の点灯状態とは別に点灯又は消灯する補助光源と、この補助光源の点灯状態を制御する補助光源制御部と、前記光源の点灯時間又はそれに応じて変化する物理量を検出し、それに応じて照明器具が寿命時期を迎えたことを判定する寿命判定部と、を備えた照明器具において、
前記補助光源制御部は、前記寿命判定部が照明器具の寿命時期を判定したとき、それを示す信号に応じて前記補助光源の点灯状態を通常時とは異なる点灯状態に制御し、
この制御により補助光源が通常時とは異なる点灯状態となることで、当該照明器具が寿命を迎えたことを告知する寿命告知部を構成したことを特徴とする照明器具。
【請求項２】
前記寿命告知部は、前記補助光源による光を照明器具の外側に向けて放出する構成を有することを特徴とする請求項１記載の照明器具。
【請求項３】
前記寿命告知部は、前記補助光源による光を受けて照明器具の外側に放出する透明部材を有することを特徴とする請求項２記載の照明器具。
【請求項４】
前記補助光源及び寿命告知部は、照明器具の使用時に使用者から直視されない位置に配置されており、補助光源又は寿命告知部からの光が、間接的に使用者に放出されることを特徴とする請求項１乃至請求項３のいずれかに記載の照明器具。
【発明の詳細な説明】
【技術分野】
【０００１】
本発明は、主となる光源とは別の光源である補助光源を有する照明器具に関するものである。
【背景技術】
【０００２】
照明器具においては、光源の点灯時間が長時間になって照明器具が寿命を迎えると、照明器具としての適正な性能が得られなくなる。例えば、光源のフィラメントが断線して不点灯となったり、光束が低減したり、また、放電灯を光源とする照明器具においては、放電灯の点灯装置の電解コンデンサ等が寿命を迎えたりすることで放電灯を適正に点灯できなくなる。また、これらの光源等を保持している器具本体についても、点灯時間が長期間となれば寿命を迎えて、例えば金属部品の疲労、酸化、プラスチック部品の劣化、破損等が発生する。
【０００３】
従来、上記のように照明器具の各部位が寿命を迎えたことを判断するには、実際に光源が適正に点灯しなくなったことをもって寿命と判断するか、人が経験的に判断するしかなかった。実際に光源が適正に点灯しなくなった場合は、代替品を用意するまでの間に照明を適正に得られず不便を強いられる。経験的に判断した場合は、実際にはまだ寿命を迎えていないのに寿命を迎えたとしてしまう誤判断により、照明器具の不必要な交換により不経済となる可能性がある。また、上記のようには判断できない部位が寿命を迎えた場合は、そのまま照明器具の使用を続けることになり、器具の破損、落下、発火等を引き起こす危険性がある。
【０００４】
そこで、上記のような寿命の到来を判断して人に告知できるような照明器具として、例えば特許文献１に記載されているような、放電灯点灯装置の動作時間を積算して寿命到来を判定し告知する照明器具が知られている。この放電灯点灯装置は、放電灯点灯装置の寿命を判定する判定手段を有しており、放電灯の点灯時間を計時して、この点灯時間が予め設定された放電灯点灯装置の寿命値より大きくなったときに、放電灯点灯装置の寿命が到来したと判定する。判定手段が寿命到来と判定すると、保護動作手段及び告知手段を起動する。保護動作手段は判定手段から寿命到来の判定を受けると、放電灯への印加電圧の電圧値を下げたり、発振を停止したりする保護動作を行う。また、告知手段は寿命到来の判定を受けると、例えば放電灯を点滅させたり、発光ダイオードや小型ランプ等の表示装置を点灯させることによりその旨を外部に告知する寿命告知を行う。
【特許文献１】特開２００１−１８５３７４号公報
【発明の開示】
【発明が解決しようとする課題】
【０００５】
しかしながら、上述の特許文献１に記載の技術では、光源である放電灯の点滅動作等により寿命告知する場合には、照明器具の照度が大きく変動することになり、例えばその下での作業に大きな影響を及ぼす等の不具合を生じさせたりしてしまう。また、表示装置を点灯させることにより寿命告知を行う場合には、そのために表示装置を設ける必要があり、コストが増すことになる。
【０００６】
本発明は、上記問題点を鑑みてなされたものであり、主となる光源とは別の、照明目的の補助光源を有しており、寿命到来時にはこの補助光源が通常時と異なる点灯状態となることで、寿命告知のために光源を設ける必要がなく安価に、且つ、主光源の照度を確保して照明対象への不具合をなくし、確実に使用者に寿命を告知させることができる照明器具を提供することを目的とする。
【課題を解決するための手段】
【０００７】
上記目的を達成するため請求項１の発明は、光源と、この光源とは別に設けられて光源の点灯状態とは別に点灯又は消灯する補助光源と、この補助光源の点灯状態を制御する補助光源制御部と、前記光源の点灯時間又はそれに応じて変化する物理量を検出し、それに応じて照明器具が寿命時期を迎えたことを判定する寿命判定部と、を備えた照明器具において、前記補助光源制御部は、前記寿命判定部が照明器具の寿命時期を判定したとき、それを示す信号に応じて前記補助光源の点灯状態を通常時とは異なる点灯状態に制御し、この制御により補助光源が通常時とは異なる点灯状態となることで、当該照明器具が寿命を迎えたことを告知する寿命告知部を構成したものである。
【０００８】
請求項２の発明は、請求項１の発明において、前記寿命告知部は、前記補助光源による光を照明器具の外側に向けて放出する構成を有するものである。
【０００９】
請求項３の発明は、請求項２の発明において、前記寿命告知部は、前記補助光源による光を受けて照明器具の外側に放出する透明部材を有するものである。
【００１０】
請求項４の発明は、請求項１乃至請求項３のいずれかの発明において、前記補助光源及び寿命告知部は、照明器具の使用時に使用者から直視されない位置に配置されており、補助光源又は寿命告知部からの光が、間接的に使用者に放出されるものである。
【発明の効果】
【００１１】
請求項１の発明によれば、補助光源が通常時と異なる点灯状態となることで寿命告知を行うので、主光源の照度を確保して照明対象に不具合を生じさせずに、確実に使用者に寿命を告知させることができる。寿命告知のために光源を設ける必要がなく、低コストで寿命告知可能な照明器具を実現できる。
【００１２】
請求項２の発明によれば、寿命告知部が、補助光源の光を照明器具の外側に向けて放出するので、照明器具への補助光源の取り付け位置の自由度が増し、寿命告知可能な照明器具を多様なデザインで実現させることができる。
【００１３】
請求項３の発明によれば、寿命告知部が透明部材を有しているので、例えば、補助光源の発光面積が小さくても、広い面積で照明器具の外部に放射させることで、寿命告知を気づかれ易いものにすることが可能となる。また、寿命告知部のデザインを多様にすることが可能となり、寿命告知部を設けることによる照明器具のデザインへの影響を少なくすることが可能となる。
【００１４】
請求項４の発明によれば、補助光源及び寿命告知部が通常使用時には使用者から直視されない位置に配置され、それらからの光が間接的に使用者に放射されるので、寿命告知可能な照明器具の外観をより良くすることが可能となる。
【発明を実施するための最良の形態】
【００１５】
以下、本発明の実施の形態について図面を参照して説明する。図１は本発明の第１の実施形態に係る照明器具を示す。この照明器具は主たる光源として丸型の放電灯を用いた、いわゆるシーリングライトであり、照明器具本体１に、光源２と、小型白熱灯である補助光源３ａを保持したものである。光源２を点灯させる点灯回路４と、点灯回路４に接続されてこの照明器具の寿命を判定する寿命判定部５と、補助光源３ａの点灯状態を制御する補助光源制御部６とは、基板４ａ上に配置されて照明器具本体１の内部に収納されている。この照明器具は、照明器具本体１が天井材１０に固定されることで天井材１０に固定されている。光源２及び補助光源３ａは、照明器具本体１に嵌装されてこれらの発光する光を透光可能なグローブ１ａによって覆われている。
【００１６】
この補助光源３ａは、例えば、常夜灯として使われ使用者が就寝時に睡眠の妨げならない程度の必要最低限の照度を得るために点灯されるような、通常時に光源２と組み合わせて使用されるものである。本実施形態においては、光源２が点灯していないときに点灯されるが、このほかにも、光源２と同時に点灯して使用されることがあるようなものであってもよい。
【００１７】
光源２はインバータ回路である点灯回路４により点灯される。寿命判定部５は、点灯時間タイマ（図示なし）を有しており、光源２が点灯するとその点灯時間を計時する。光源２が点灯したとき内蔵の不揮発性メモリ（図示なし）から前回の消灯時まで累積された光源２の点灯時間を読み出して、この点灯時間に継続して点灯時間を計時する。光源２が消灯されるときには、計時後の点灯時間を再び不揮発性メモリに格納する。以降は点灯している期間は点灯時間を不揮発性メモリから読み出して、新たな点灯時間を不揮発性メモリに書き込むまでの動作を繰り返す。
【００１８】
この点灯時間タイマには、例えば光源２や点灯回路４、及び照明器具本体１等、照明器具についての設計寿命が予め設定されている。上述のように計時する点灯時間がこの設計寿命に到達したときに、寿命判定部５は寿命判定を行ってそれを示す信号を発生させる。発生させた信号は補助光源制御部６へと送られる。補助光源制御部６及び補助光源３ａは、寿命判定時に寿命告知を行う寿命告知部７を構成している。この寿命告知部７は、以下のようにして寿命告知を行う。
【００１９】
補助光源制御部６は、この寿命判定部５による寿命判定の信号を受けると、補助光源３ａの点灯状態が通常時とは異なる点滅状態となるように制御する。補助光源３ａは、この制御により、通常時の点灯された状態又は消灯された状態から点滅状態となる。これにより、この照明器具が寿命を迎えたことを告知する寿命告知が行われる。このとき、光源２は通常の点灯状態であればよい。ここで、寿命告知時の補助光源３ａの動作は、点滅状態に限らない。例えば、通常時の点灯状態より明るく、又は暗く点灯するなど、通常時と異なる点灯状態とすればよく、寿命告知を実現できる。
【００２０】
このように、補助光源３ａが通常時と異なる点灯状態となり、寿命告知部７によって寿命告知が行われるので、主たる光源である光源２の点灯状態はそのままでよく、照明器具としての照度を確保しつつ、照明対象に不具合を生じさせずに、確実に使用者に寿命を告知させることができる。また、通常時は例えば常夜灯用途など用いられる補助光源３ａを寿命告知部７として用いるので、寿命告知のための光源を設ける必要がなく、低コストで寿命告知可能な照明器具を実現できる。
【００２１】
ここで、本実施形態において、補助光源３ａは小型白熱灯でなくてもよく、発光ダイオード等の他種類の光源であってもよい。図２は、上述の照明器具において、小型白熱灯である補助光源３ａの代わりに、発光ダイオードである補助光源３ｂを用いたときの照明器具を示す。この発光ダイオードの補助光源３ｂも、補助光源３ａと同様に常夜灯用途などに用いられるものである。このとき、補助光源３ｂを複数色の発光ダイオードを用いた構成とすると、複数色の発光を行うことが可能となり、例えば、照明器具の寿命時期が到来した部分別に、また、寿命が迫った程度別に発光色を変えて寿命告知を行うことで、寿命の詳細な内容について告知することが可能となる。
【００２２】
図３乃至図５は本発明の第２の実施形態に係る照明器具を示す。以下の各実施形態において、上述の実施形態と同様のものは同一の符号を付し、上述の実施形態と相違する部分についてのみ説明する。この照明器具は、天井材１０に埋め込まれるように設置されるダウンライトであり、照明器具本体１１のランプソケット部に設置された電球型蛍光管の光源１２による光を、反射板１１ｂにより反射させて反射板１１ｂの開口部から下方へ向けて放射させるものである。光源１２は照明器具本体１１に固定される点灯回路４により点灯され、また、寿命判定部５と、補助光源制御部６は点灯回路４内に設けられている。反射板１１ｂの開口部には環状の枠体１１ａが設置されており、反射板１１ｂの開口部の縁と天井材１０との境界を覆って照明器具の外観を装飾している。
【００２３】
枠体１１ａの一部には一箇所の貫通穴８が設けられている。この穴８は、図５に示されるように、枠体１１ａの上下方向に開口して、照明器具の外側と反射板１１ｂで囲まれた内側とを貫通させるように設けられている。この穴８を照明器具外側から見たときの開口部分の大きさは枠体１１ａに対して目立たないような小さい大きさとされている。この穴８の照明器具の内側に開口した部分には補助光源１３が設けられており、補助光源１３の発光部１３ａがこの穴８の開口部に面して穴８に向けて光を放射するようにされている。
【００２４】
この照明器具において、補助光源１３が点灯すると、発光部１３ａからの光は穴８を通過して照明器具の外側に面した開口から外側に放射される。寿命判定部５がこの照明器具の寿命を判定すると、その信号は補助光源制御部６に送られ、補助光源制御部６は、上述の実施形態と同様に補助光源１３を用いて寿命告知を行う。この寿命を告知する補助光源１３の発光部１３ａによる点灯動作が行われると、その光が穴８を通過して枠体１１ａから照明器具の外側に放出される。すなわち、寿命告知を行う寿命告知部１７が、補助光源１３、補助光源制御部６、及び光を照明器具の外側に放出させる穴８により構成される。
【００２５】
上記のように、照明器具の寿命告知部１７を、穴８を通じて補助光源１３による光を照明器具の外側に放出するように構成することで、照明器具への補助光源１３の取り付け位置の自由度を増すことが可能となり、寿命告知可能な照明器具を多様なデザインで実現させることができる。例えば、この穴８を使用者が通常時に気づかないような大きさとすることで、通常時又は寿命判定時には補助光源１３の発光する光を照明器具の外側に放射させることができ、照明器具を使用しないときや光源１２のみを点灯させるときにその存在を感じさせないようにすることも可能となる。なお、本実施形態においては、穴８は複数個であってもよく、また、その大きさは、使用する補助光源１３の種類や目的により変更し、照明器具のデザインにより適宜設定すればよい。
【００２６】
図６乃至図８は、本発明の第３の実施形態に係る照明器具を示す。この照明器具は、上述の第２の実施形態に係る照明器具と略同様のダウンライトである。この照明器具は、反射板１１ｂの開口部部分の構造が上述とは相違しており、環状の枠体は穴を有していない。そして、照明器具の下面に面する枠体１１ａと天井材１０に挟まれるようにして設けられている薄い環板状の透明部材２８を有しており、その外周縁は、枠体１１ａの側周面近傍で照明器具外側の空間に露出するようにされている。図８に示されるように、枠体１１ａ及び透明部材２８の照明器具内側部分の一部には補助光源２３が設けられており、透明部材２８の露出部分の一部に補助光源２３の発光部２３ａが付設されて透明部材２８に向けて光を放射するようにされている。
【００２７】
この照明器具において、補助光源２３が点灯すると、発光部２３ａからの光は透明部材２８に向けて放射される。透明部材２８は例えばポリカーボネイト、ＰＭＭＡ、ポリスチレン等の透明な素材からなっており、この光は、図８の２点鎖線矢印で示されるように、透明部材２８内を透過して、その外側との境界面での反射を繰り返し、照明器具外側に露出した外周縁から放射される。このとき、補助光源２３の発光部２３ａが小さく、透明部材の露出部分の一部のみに設けられている場合であっても、その放射光が上述の透明部材２８内を透過及び反射して、その外周縁の広い範囲から放射される。
【００２８】
寿命判定部５がこの照明器具の寿命を判定すると、その信号は補助光源制御部６に送られ、補助光源制御部６は、上述の実施形態と同様に補助光源２３を用いて寿命告知を行う。この寿命を告知する補助光源２３の発光部２３ａによる点灯動作が行われると、その光が透明部材２８内を透過及び反射してその外周縁から照明器具の外側に放出される。すなわち、寿命告知を行う寿命告知部２７が、補助光源２３、補助光源制御部６、及び光を照明器具の外側に放出させる透明部材２８により構成される。
【００２９】
上記のように、照明器具の寿命告知部２７を、透明部材２８を有して補助光源２３による光を照明器具の外側に放出するように構成することで、照明器具への補助光源２３の取り付け位置の自由度を増すことが可能となり、寿命告知可能な照明器具を多様なデザインで実現させることができる。また、例えば、補助光源２３の発光部２３ａの発光面積が小さくても、上述のように広い範囲で照明器具の外部に放射させることで、寿命告知を気づかれ易いものにすることが可能となる。そして、上述のように、透明部材２８の下面を枠体１１ａで覆うようにして、透明部材２８の照明器具外側への露出部分を外周縁のみとすることで、照明器具を使用しないときや光源１２のみを点灯させるときには透明部材２８の存在に使用者が気づきにくく、寿命判定時には補助光源２３の発光する光を照明器具の外側に放射させて確実に寿命告知を行うことが可能となる。
【００３０】
なお、本実施形態において、図９に示されるように、例えば薄膜エレクトロルミネッセンス等を用いた補助光源２３の発光部２３ａを、透明部材２８と天井材１０との間に配して、放射する光を図の２点差線に示すように透明部材２８の内部を透過及び反射させてその外周縁から照明器具の外側に放出するようにしてもよい。このように、補助光源２３は、使用する補助光源２３の種類や透明部材２８の形状等の照明器具のデザインに応じて種々の位置に配置することが可能である。
【００３１】
図１０及び図１１は本発明の第４の実施形態に係る照明器具を示す。この照明器具は、上述の第１の実施形態に係る照明器具と略同様のシーリングライトであり、補助光源３３の位置が上述とは相違するものである。すなわち、補助光源３３は、光源２とともにグローブ１ａに収納されているのではなく、照明器具の下側からは隠れるように、グローブ１ａと天井材１０との間の隙間の部分にあたる照明器具本体１の外側面に設けられている。照明器具本体１の外側面には、この外側面を貫通するようにして透明部材３８が設けられている。透明部材３８は例えばポリカーボネイト、ＰＭＭＡ、ポリスチレン等の透明な素材からなっており、この透明部材３８を介して照明器具の内側と外側が透光可能とされている。透明部材３８の照明器具の内側面には、発光部３３ａが透明部材３８に向けてその光を放射するように設けられており、その裏側に取り付け基板３３ｂが設けられ、補助光源３３が構成されている。補助光源３３は、照明器具本体１の内側の補助光源制御部６に接続されている。
【００３２】
この照明器具において、補助光源３３が点灯すると、発光部３３ａからの光は透明部材３８に向けて放射される。この光は、透明部材３８内を透過して照明器具外側の露出面から照明器具の外側に向けて放射される。補助光源３３及び透明部材３８は使用者から見てグローブ１ａの影となって隠れており、それらから照明器具外側に放射される光は、直接光としては使用者に放射されず、この光が天井材１０によって反射されることによって、間接的に使用者に放射される。
【００３３】
この寿命を告知する補助光源３３の発光部３３ａによる点灯動作は、上述の実施形態と同様に行われる。そして、その光は、透明部材３８内を透過して照明器具の外側に放出され、天井材１０によって反射されることにより使用者に放射されて寿命報知が行われる。すなわち、寿命告知を行う寿命告知部３７が、補助光源３３、補助光源制御部６、及び光を照明器具の外側に放出させる透明部材３８により構成される。
【００３４】
照明器具の寿命告知部３７を上記のように構成することで、照明器具への補助光源３３の取り付け位置の自由度が増すことが可能であり、寿命告知可能な照明器具を多様なデザインで実現させることができる。また、補助光源３３及び寿命告知部３７が通常使用時には使用者から直視されない位置に配置され、それらからの光が間接的に使用者に放射されるので、寿命告知可能な照明器具の外観をより良くすることが可能となる。また、本実施形態においては、天井材１０に反射させることにより広い面積で補助光源３３及び寿命告知部３７の寿命告知の光を放射させるので、より使用者に認識され易い寿命告知を行うことが可能となる。
【００３５】
図１２、図１３は、本発明の第５の実施形態に係る照明器具を示す。この照明器具は、高天井等に取り付けられるようなセードランプである。この照明器具の光源４２は、例えば白熱灯等を用いており、照明器具本体４１のランプソケット４１ｃに取り付けられて、点灯回路４により点灯される。この照明器具は、天井材１０に取り付けられており、その取り付け部分の照明器具本体４１の内部に点灯回路４と寿命判定部５とが収納されている。また、照明器具本体４１には下側が開口部となり光源４２を覆うセード４１ａが設けられている。セード４１ａの内側は光を反射させる反射板とされており、光源４２の発光する光を反射してその開口部から下方に放射させる。照明器具本体４１のランプソケット４１ｃの近傍には、ランプソケット４１ｃを囲むように４箇所の補助光源４３が設けられており、この補助光源４３は、光源４２をランプソケット４１ｃに取り付けたときに光源４２に隠れて使用者からは直視されないような位置とされている。この補助光源４３は例えば常夜灯用途に使用される発光ダイオードであり、その個数は４個に限らず、光源の種類や目的に応じて適宜設定されるものである。この補助光源４３の点灯を制御する補助光源制御部６は、照明器具本体４１内側のランプソケット４１ｃ近傍に納められており、補助光源４３とともに寿命告知部４７を構成している。
【００３６】
寿命判定部５が照明器具の寿命判定を行うと、寿命告知部４７は、上述の実施形態と同様にして、例えば補助光源４３が点滅することにより寿命告知を行う。そして、その光は、セード４１ａの内側の反射板により反射されて照明器具の外側に放出される。このように、補助光源４３が通常使用時には使用者から直視されない位置に配置され、それらからの光がセード４１ａの内側の反射板により反射されて使用者に放射されるので、寿命告知可能な照明器具の外観をより良くすることが可能となる。ここで、本実施形態においては、例えば複数色の発光ダイオードを用いて補助光源４３を構成して寿命告知時に発光する光の色を赤色とする等、光源４２の発光色及び通常時の補助光源４３の発光色と大きく異なる色としてもよく、このとき、より使用者に認識され易い寿命告知を行うことが可能となる。
【００３７】
なお、本発明は上記実施形態の構成や告知動作例に限定するものではなく、発明の範囲を変更しない範囲で適宜に種々の変形が可能である。例えば、本発明の各実施形態で用いられる補助光源には、上述したものを含めて種々の種類の光源を用いればよく、発光ダイオード、エレクトロルミネッセンス、冷陰極ランプ、白熱灯、フラッシュランプ等を適宜用いることが可能である。なかでも、発光ダイオード、エレクトロルミネッセンスを用いると、補助光源そのものを薄型化、小型化することが可能であり、且つ回路部品等を小型化することが可能となる。
【００３８】
また、寿命告知時の補助光源の動作は１種類でなくとも、寿命告知の内容に応じて点灯パターンを替えて行われるものであってもよい。例えば、寿命が迫った程度を寿命判定部５が判定して、その程度が低いときに暗く点灯し、その後寿命時期に近づくにつれて明るい点灯、点滅点灯、というように点灯パターンを変化させるなどの動作を行うことにより、より詳細な寿命情報を告知することが可能となる。
【００３９】
さらに、寿命判定を行う寿命判定部５としては、上述した点灯時間タイマを用いて点灯時間を計時するものに限らず、後述するような、点灯時間により変化する物理量を検出するものであってもよい。また、例えば光源、点灯回路、照明器具本体等に照明器具の部位を分けて、寿命告知を行う部位毎に異なる方法により寿命を判定させてもよい。
【００４０】
上述の、点灯時間により変化する物理量を検出して寿命判定する寿命判定部５の例としては、例えば、放電灯を光源としたときに、点灯回路の中の電解コンデンサのように寿命に影響を与える素子の温度を検出して、この温度が所定値になったときに寿命判定を行うものや、平滑用電解コンデンサのリップル電圧の変化を検出して、リップル電圧が所定値に達するときに寿命判定を行うものがある。他にも、電源電圧の投入回数を積算して記憶するカウンタ回路を備え、積算電源投入回数が所定値となったときに寿命判定を行うもの等があり、これらを併用して寿命判定を行うものもある。また、光源の寿命判定を行うための寿命判定部５として、光源の光束の変化を検出可能なセンサを有して光束が所定値以下となったときに寿命判定したり、放電灯を光源としたときの通常点灯時における点滅回数を検出して、点滅回数が所定回数以上となったときに寿命判定を行うもの等がある。また、放電灯を光源とし、その光束をセンサにより検出し、一定の光束となるように保つための調光手段を有した照明器具において、放電灯を一定光束で点灯させるための電圧を検出し、この電圧が所定値より大きくなったときに寿命判定を行うものもある。
【図面の簡単な説明】
【００４１】
【図１】本発明の第１の実施形態に係る照明器具の断面図。
【図２】同上の一変形例を示す断面図。
【図３】本発明の第２の実施形態に係る照明器具の断面図。
【図４】同上器具の斜視図。
【図５】同上器具の寿命報知部を示す断面図。
【図６】本発明の第３の実施形態に係る照明器具の断面図。
【図７】同上器具の斜視図
【図８】同上器具の寿命報知部を示す断面図。
【図９】同上器具の寿命報知部の一変形例を示す断面図。
【図１０】本発明の第４の実施形態に係る照明器具の断面図。
【図１１】同上器具の寿命報知部を示す断面図。
【図１２】本発明の第５の実施形態に係る照明器具の断面図。
【図１３】同上器具の光源をランプソケットから取り外した状態を示す斜視図。
【符号の説明】
【００４２】
２，１２，４２  光源
３ａ，３ｂ，１３，２３，３３，４３  補助光源
５  寿命判定部
６  補助光源制御部
７，１７，２７，３７，４７  寿命告知部
８  穴
２８，３８  透明部材
【図１】
2006236673.tif 000003
【図２】
2006236673.tif 000004
【図３】
2006236673.tif 000005
【図４】
2006236673.tif 000006
【図５】
2006236673.tif 000007
【図６】
2006236673.tif 000008
【図７】
2006236673.tif 000009
【図８】
2006236673.tif 000010
【図９】
2006236673.tif 000011
【図１０】
2006236673.tif 000012
【図１１】
2006236673.tif 000013
【図１２】
2006236673.tif 000014
【図１３】
2006236673.tif 000015